(57)【要約】  本発明は衣服を吊り下げるためのデバイス（１０）に関するものであり、当該デバイスは、ループを形成するように端部が互いに接続されたストラップ（１１）と、少なくとも１の調整部（１２）とを具え、この調整部（１２）はストラップ（１１）を２つの補助ループに分離するのに適しており、補助ループの一方（１１ａ）はデバイス（１０）をユーザの肩から吊り下げられるようにすることを目的とし、他方の補助ループ（１１ｂ）は衣服を挿入および支持できるようにすることを目的としている。【選択図】図１
2012529311.tif 000002
【特許請求の範囲】
【請求項１】
ストラップ（１１）に沿って摺動させることを目的とし、実質的に平行六面体の中空体を具える調整部（１２）であって、その少なくとも上面および下面（Ｆｄ）は前記ストラップ（１１）が通って摺動する２のスロット（３）を規定する中央リッジ（２）を有し、前面および後面と称されるその２つの他の面（Ｆａ）はストラップ（１１）を通すことができる中央開口部（５、５’）を具えることを特徴とする調整部。
【請求項２】
請求項１に記載の調整部（１２）において、前記上面および下面（Ｆｄ）の前記中央リッジ（２）が凹形状のエッジを有し、前記ストラップ（１１）の捩れ領域を形成することを特徴とする調整部。
【請求項３】
請求項１または２の何れか一項に記載の調整部（１２）において、前記上面および下面（Ｆｄ）の前記中央リッジ（２）が、前記ストラップ（１１）と接触する面に、前記ストラップ（１１）の動作を制動することができる縦のリブ（８）を具えることを特徴とする調整部。
【請求項４】
請求項１乃至３の何れか一項に記載の調整部（１２）において、前記前面または後面（Ｆａ）の少なくとも一方が、前記ストラップ（１１）の停止部として機能する中央リッジ（４）を具えることを特徴とする調整部。
【請求項５】
端部が互いに連結され、ループを形成するストラップ（１１）と、
請求項１乃至４の何れか一項に記載の少なくとも１の調整部（１２）とを具える衣服吊り下げデバイス（１０）において：
前記調整部（１２）は前記ストラップ（１１）を２つの補助ループに分けることができ、前記補助ループの一方（１１ａ）はデバイス（１０）をユーザの肩から吊り下げられるようにすることを目的としており、他方の補助ループ（１１ｂ）は衣服を挿入して保持できるようにすることを目的としていることを特徴とするデバイス。
【請求項６】
請求項５に記載のデバイス（１０）において、前記ストラップ（１１）に組み込まれた更なる取付手段（１３）が、それ自体に巻き付けられた位置に前記ストラップを保持できることを特徴とするデバイス。
【請求項７】
請求項６に記載のデバイス（１０）において、前記更なる取付手段（１３）が、スナップファスナ及びベルクロ（登録商標）バンドから選択されることを特徴とするデバイス。
【発明の詳細な説明】
【技術分野】
【０００１】
本発明は衣服の分野に関し、より具体的には、人の肩から衣服を吊り下げるためのデバイスに関するものである。
【背景技術】
【０００２】
日常生活では、外部の天気または人の気分により、いままで着ていた衣服を着たくないということが往々にして起こる。衣服が邪魔になる場合、人はそれを安全な場所に置くか、手または肩に掛けて運ぶ、あるいはバッグに入れて運ばねばならない。しかしながら、特にハイキングまたは街を散歩している最中に、衣服を利用できるようにして、両手を自由にしておきたい場合、現在可能な唯一の解決策は肩に掛けたバッグで衣服を運ぶことである。しかしながら、この解決策は依然として多くの欠点を有している。第１に、人は外出している間中バッグを負わねばならない。しかしバッグを肩に掛けたとしても、特に揺れや重さのため、動き回る場合には扱い辛く不便である。さらに、特に防雨または防寒のために衣服を取り出した場合、バッグはもはや必要はない。従って、外出前にバッグの他の利用法が見つからない限りは、バッグを必要としない解決策が有益である。結局、不必要にバッグを負うよりは、手または腕に掛けて衣服を運ぶリスクを冒す方が好ましい。しかしながら、上肢を部分的に固定することは、野外活動時では非常に不利益となる恐れがある。従ってこの解決策は望ましくなく、滑りやすいまたは山岳の地面の歩行を含む特定の活動においては、両手を自由にする必要がある。
【発明の概要】
【０００３】
従って、既存技術の欠点を伴わない、歩行中に衣服を運ぶデバイスを提供することが必要である。
【０００４】
この目的のため、本発明に応じて、ストラップに沿って摺動させることを目的とした調整部が提供されており、この調整部は実質的に平行六面体の中空体を具え、その少なくとも上面と下面はストラップが中を通って摺動する２のスロットを規定する中央リッジを有し、前面および後面と称されるその２つの他の面はストラップが貫通できる中央開口部を具えている。
【０００５】
本発明の調整部の他の想定される構成は、請求項２乃至４に規定されている。
【０００６】
本発明の他の対象は衣服吊り下げデバイスに関し、当該デバイスは：
−端部が互いに連結されてループを形成するストラップと、
−請求項の何れかによる少なくとも１の調整部とを具えており、この調整部はストラップを２つの補助ループに分けることができ、補助ループの一方はデバイスをユーザの肩から吊り下げできるようにすることを目的とし、他の補助ループは衣服を挿入して保持できるようにすることを目的としている。
【０００７】
本発明のデバイスの他の想定される構成は、請求項６乃至７に規定されている。
【図面の簡単な説明】
【０００８】
本発明の他の利点および特徴は、本発明の具体的な実施形態について読み、図面を参照すると理解されるであろう。
【図１】図１は、使用位置にある本発明による衣服吊り下げデバイスの概略図である。
【図２】図２は、本発明による調整部の第１の態様の上面図である。
【図３】図３は、図２に示す部分の斜視図であり、当該部分をＤ１の方向に見ている。
【図４】図４は、図２に示す部分の斜視図であり、当該部分をＤ２の方向に見ている。
【図５】図５は、図２に示す部分の軸Ａ−Ａによる断面図である。
【図６】図６は、図２に示す部分の軸Ａ−Ａによる断面図であり、ストラップが図示されている。
【図７】図７は、本発明による調整部の第２の態様の上面図である。
【図８】図８は、図７に示す部分の斜視図であり、当該部分をＤの方向に見ている。
【図９】図９は、図７に示す部分の軸Ａ−Ａによる断面図である。
【発明を実施するための形態】
【０００９】
図１を参照すると、本発明による衣服吊り下げデバイスが図示されている。
【００１０】
このデバイス１０は、ループを形成するよう端部が互いに連結されたストラップ１１を具えており、このループは、ストラップ１１の２本のひもに沿って摺動する調整部または調整ループ１２によって、２つの補助ループ１１ａおよび１１ｂに分けられる。第１の補助ループ１１ａは、肩にわたってデバイス１０が位置し、ストラップ１１がユーザの右または左肩から左または右腰にほぼ真直ぐな線となるように、ユーザの胸の一部を挿入できるようにせねばならない。第２の補助ループ１１ｂは、ユーザがもう衣服を着ない場合に、同様に衣服を挿入して保持できるようにせねばならない。図１に示す構成では、第１のループ１１ａを形成するためのストラップ１１の長さは調整部１２を用いて修正され、ユーザの胸の上にあるデバイス１０の最適な締め付けを約束し、その結果、ユーザが動き回ったときのデバイス１０の揺動運動を制限する。しかしながら、この構成では、衣服がデバイス１０によって十分に保持されないことに気付くであろう。従って、上述の衣服におけるデバイス１０を最適な締め付けを確保するため、調整部１２を動かすことが好ましい。ユーザの胸の周りおよび吊り下げられた衣服の周りのデバイス１０の最適な締め付けを確保するために有利な解決策はデバイス１０に２つの調整部を設けることであり、この部分の一方はユーザの胸の上にある補助ループ１１ａの最適な締め付けを確保するよう設計され、他方は衣服における補助ループ１１ｂの最適な締め付けを確保することを目的としている。他の有利な解決策は、調整部１２に加えて、ループ１１ａまたは１１ｂの長さを減少させる追加の手段を設けることである。この追加の手段は特に、クランプ、またはストラップに組み込まれたベルクロ（登録商標）バンドまたはスナップファスナといった他の取付手段で構成することができる。
【００１１】
従って、このデバイス１０は先行技術の既存の解決策を上回る利点を有し、その低重量、特にその小さい大きさにより容易に持ち運びができる。実際、ユーザがデバイス１０から吊り下がっている衣服を再び着たい場合、ユーザはストラップ１１をそれ自体に、特にガイド部１２の周りに巻き付けることができる。このストラップ１１はストラップ１１に配置された追加の取付手段１３を用いて巻き付けられたままの状態にしておくことができる。これらの手段１３は、例えば、ベルクロ（登録商標）として知られているバンドまたはスナップファスナから有意に選択することができる。
【００１２】
図２乃至６は、図１に示すデバイスに使用できる調整部の具体的な例を示している。
【００１３】
図３および４を参照すると、調整部またはループ１２が、２つの全面的な側面Ｆｌ、およびそれぞれ前面および後面Ｆａと上面および下面Ｆｄである４つの中空面によって規定された実質的に平行六面体の中空体の形状をに示しているのを見ることができる。それぞれ下面から上面Ｆｄまでの中央開口部は、側面Ｆｌ、およびそれぞれ下面から上面Ｆｄまでを前面および後面Ｆａに接続している平行六面体の角部に位置する２つの端部リッジ１によって境界付けられている。この中央開口部は中央リッジ２によって分けられており、この中央リッジ２は端部リッジ１から等距離に配置されて２の側面Ｆｌに接続している。図６に見られるように、各端部リッジ１は中央リッジ２と共に、ストラップ１１を通して摺動することができるスロット３を規定している。中央凹部５および５’があることにより、前面および後面Ｆａそれぞれで部分１２がストラップ１１に沿って摺動することが可能となる。これらの凹部５および５’は、上述の側面Ｆｌおよび端部リッジ１によって境界付けられる。後面Ｆａは有利に、側面Ｆｌに接続され、端部リッジ１から等距離に配置された中央リッジ４を具える。中央リッジ４は、部分１２がストラップ１１に沿って動くときにストラップ１１を誘導する。図６では、図５に示すものに加えて、ガイド部１２を通っているストラップ１１の経路を見ることができる。ストラップ１１は前面Ｆａの中央開口部５を通ってガイド部１２の内側に入り、次いで上面Ｆｄのスロット３の一方を通過し、この上面Ｆｄの中央リッジ２を迂回し、再び上面Ｆｄの他のスロット３によって部分１２の内側に入り、中央リッジ４の上を通って前面Ｆａの開口部５’によって部分１２から出て、第１の補助ループ１１ａまたは１１ｂを形成する。再び、中央リッジ４の下側を通って開口部５’を通ることで部分１２に入り、次いで下面Ｆｄのスロット３の一方を通過し、下面Ｆｄの中央リッジ２を迂回して、再び下面Ｆｄの他のスロット３により部分１２に入り、最終的に前面Ｆａの開口部５により部分１２から出る。ストラップ１１の２つの自由端は縫い合わせまたは他の連結手段によって接続され、第２の補助ループ１１ａまたは１１ｂを形成する。この構成では、中央リッジ４は、図６に示すようにストラップ１１の停止部としても機能する。実際、リッジ４がなく、調整部１２がストラップ１１が１つのループのみを形成し、補助ループ１１ａまたは１１ｂの一方に長さがない限界位置に達する場合では、ストラップ１１は面Ｆｄの中央リッジ２に直接接触してしまう。この位置では、ユーザが、部分１２の内側、正確には中央リッジ２の間に位置するストラップ１１の端部を取り出すことは非常に難しい。従って、中央リッジ４は、ストラップ１１の端部が常にユーザがアクセスできる部分１２の外側にあることを確保する。従って、これは、ストラップ１１の単一ループの構成から第２の補助ループに再形成することで操作を容易にする。このガイド部に図示されていない変形体では、前面Ｆａに中央リッジを形成し、この中央リッジがストラップ１１の誘導および停止部として機能することも可能である。
【００１４】
図２を参照すると、上面Ｆｄひいては対称であるため下面Ｆｄの中央リッジ２が、凹状の湾曲エッジを有していることが見られる。この形状により、ガイド部１２を通って移動するときのストラップ１１のねじれを倍加させることが可能となる。このねじれは、ガイド部１２がストラップ１１上の定位置に上手く留まることを確実にして、部分１２がストラップ１１に沿って常に滑るのを防ぐ。滑るリスクを更に減少させるため、部分１２はさらに面Ｆｄの中央リッジ２に沿って設けられた縦のリブ８を具える。リブ８に対するストラップ１１の摩擦が、ストラップ１１の相対的な制動を確保する。このリブの代わり、およびその代用に、他の制動手段を利用することができる。特に、非常に粗い材料を利用して中央リッジ２を形成することも可能である。
【００１５】
さらに、特に図４および５では、後面Ｆａの中央リッジ４が、その端部それぞれに配置され、後面Ｆａにより規定された平面から突出している部分を形成するエッジ６を有していることが見られる。エッジ６間は、ストラップ１１の幅とほぼ対応するよう規定される。このように、デバイス１０の収容位置で部分１２の周りにストラップ１１を巻き付けることが更に容易となる。
【００１６】
しかしながら、図７乃至９に示すように、中央リッジ４がエッジ６を具備していない調整ループ１２を設計することも可能である。
【００１７】
図５に示すように、側面Ｆｌは有利に、前面Ｆａの前縁に中空部７を具えている。特に、この中空部７により、ストラップ１１が部分１２内に入ったときに容易に掴むことが可能となる。さらに、この中空部７を形成することによる材料の節約は、部分１２の製造費の著しい削減を可能にする。
【００１８】
しかしながら、図７乃至９に示すように、側面Ｆｌが中空部７を具えず、実質的に六角形状を有している調整ループ１２を設計することも可能である。
【００１９】
図２乃至６に示すような部分１２は有利に、六角形の基部を有する円筒体から形成される。しかしながら、本発明の範囲から逸脱することなく、部分１２について他の可能な形状を検討することができる。特に、長方形または円形の基部を有する円筒体から調整部を形成することも可能である。後者の場合、予め規定されるような前／後面および上／下面は、ストラップを通過させることができる開口部を形成することを目的としたクロスカットを除いて実質的に湾曲する。従って、これらの開口部のエッジにより規定される平坦な幾何学形状を本発明の文中における面と同等とすることができる。
【００２０】
更に、図示されていない態様では、調整部１２は、この部分の機能を変化することなく、平坦ではない側面Ｆｌ、特に湾曲部を有しうる。
【図１】
2012529311.tif 000003
【図２】
2012529311.tif 000004
【図３】
2012529311.tif 000005
【図４】
2012529311.tif 000006
【図５】
2012529311.tif 000007
【図６】
2012529311.tif 000008
【図７】
2012529311.tif 000009
【図８】
2012529311.tif 000010
【図９】
2012529311.tif 000011
【国際調査報告】
2012529311.tif 000012
2012529311.tif 000013
2012529311.tif 000014
2012529311.tif 000015